(57)【要約】【課題】ドリンク容器のドリンクにより濡れないように、商品を収納した密閉体を提供する。【解決手段】湾曲した内側部材412の上に、湾曲した外側部材414を覆い、その間に商品を収納するためのコンパートメント416を形成する。内側部材412の盛り上がった部分424を介して、ストローが挿入され、ドリンク容器内のドリンクを飲むことが可能である。コンパートメント416の底部となる、内側部材414の部分を、ドリンク容器のドリンクの表面よりも上方に設ける。【選択図】図１５
2004352373.tif 000002
【特許請求の範囲】
【請求項１】
ストローが挿入される、内部に形成された開口部を有し、ドリンク容器のリムに取り付けるための周辺部分を有し、カーブした頂部表面を形成する中心部分を含む、一体的な内側部材と、
前記内側部材との間にカーブしたコンパートメントを形成するよう、前記内側部材の前記中心部分に嵌合されるようになっている湾曲した一体的外側部材とを備え、
使用時にコンパートメントの底部がドリンク容器のリムよりも上方に位置するように、コンパートメントの底部を形成する前記内側部材の部分が、前記内側部材の前記周辺部分よりも上方に位置する、ドリンク容器のための密閉体。
【請求項２】
前記内側部材が、前記内側部材の前記周辺部分から前記内側部材の部分と外側部材の部分との間に形成されたコンパートメントに向かって上に延びる周辺側壁を含む、請求項１記載の密閉体。
【請求項３】
前記内側部材の前記開口部が交差したスリットを含む、請求項１記載の密閉体。
【発明の詳細な説明】
【技術分野】
【０００１】
本発明は一般的には商品容器のための密閉体に関し、より詳細には、ドリンク
用カップのための密閉体に関する。
【背景技術】
【０００２】
ソフトドリンク用カップのような商品容器のための密閉体は周知である。あるケースでは密閉体に賞品、ゲームメダル、プレミアムなどを保持するためのコンパートメントを設けることが望ましい。このような場合、購入者はソフトドリンクなどを購入した後に内部の内容物を見るために、例えば、賞品が当たっているかどうかを見るために密閉体を開ける。
【発明の開示】
【発明が解決しようとする課題】
【０００３】
しかしながら、特に密閉体がドリンク用カップまたは飲料水を含む他の容器に対して使用されている際に、コンパートメントが設けられている密閉体では問題が生じる。一般に密閉体には、例えばストローを挿入するための、一対の十字状に交差したスリットのような開口部が設けられている。このスリットにストローを挿入すると、このスリットを通して液体が出て、コンパートメントに流れ込み、内部の内容物を汚してしまい、恐らく内容物を使用不能にしてしまうことがある。当然ながら、スリットが形成されている容器の部分が飲料水の高さの近くに配置している場合、スリットを通る滲み出しは実質的に不可避である。かかるケースではスリットに最初にストローを挿入する結果として、密閉体が下方へ移動することによって一般にスリットが飲料水内に埋没し、スリットを通してかなりの滲み出しが生じる。密閉体のコンパートメントがカップの縁の高さまたはそれ以下にあるケースでは、このコンパートメントの空間は実際にはカップの内部容積を排除するので、密閉体を取り付ける際に、完全に満たされた飲料水のかなりの漏れが生じる。更に、ファーストフードのレストランなどにおける顧客は通常、飲料水を縁まで満たすことを好む。飲料水が縁まで満たされている状態にあると、ストローを挿入した時、または密閉体を取り付けたときにかなりの滲み出しや漏れが生じたり、レストランのスタッフが漏れた飲料水をモップでふき取らなければならないという余分な作業が生じる。このような問題を解消するために、飲料水のカップは縁よりも低い特定の高さまでしか満たされていないことが多い。従って、カップに自動充填するレストランでは、自動充填装置を正しくセットし、飲料水が特定レベルを越えないようにモニタする必要がある。スタッフがカップに手動で満たす場合、スタッフはカップの特定レベルまでしか満たさないように常に注意していなければならない。更に、多くのファーストフードレストランでは、顧客は自分の飲料水カップを満たし、顧客自身が注ぎ足すことができるようになっている。顧客がコップの縁まで満たすと、その後、こぼれていることに気が付いていないことが多く、よって顧客は一般にコップを過度に満たしたり、飲料水のディスペンサーの近くで頻繁で、かつかなりの漏れを生じさせることが多い。
【０００４】
更に、スリットを通した滲みだし、またはこぼれが生じなくても、一般にプラスチックで形成されている密閉体自身にクラック（ひび割れ）または他の変形があることがあり、このことによってもコンパートメントへの滲み出しが生じる。かかるクラックは製造中、または恐らくはドリンク容器に密閉体を取り付ける前の密閉体の誤った取り扱いの結果生じる。コンパートメントを形成する密閉体の内部にクラックが存在している場合に、液体はクラックを通して滲み出し、コンパートメントに進入し、内部の内容物を破壊してしまう。コンパートメントの底部を形成する密閉体部分に、かかるクラックがあり、かかる部分が液体のレベルの近くまたはそれ以下にある場合、クラックを通した滲み出しは実質的に不可避である。ストローをスリットに下方に挿入する結果、密閉体が曲がっても、かかるクラックを大きくしたり、かかるクラックを生じさせたりすることがあり得る。
【０００５】
一般に密閉体がドリンク用容器に取り付けられる際に、スリットまたはコンパートメントの底部がドリンク容器の頂部周辺エッジに、またはその下方に位置するよう、容器の十字に交差したスリットまたはコンパートメント自身が位置している場合、滲み出しまたはこぼれが生じるかなりの危険性が生じる。不幸なことに、ドリンク容器のための従来のコンパートメント密閉体は十字に交差したスリットとコンパートメントの底部の双方をドリンク容器の頂部周辺エッジよりもかなり下方に設けるように構成されている。
【０００６】
商品容器密閉体、特にドリンク容器と共に使用するための密閉体に、上記問題を解消するように密閉体を構成し、本発明が主に解決しようとする目的のためのコンパートメントを設けることが望ましい。
【課題を解決するための手段】
【０００７】
本発明の１つの特徴によれば、ドリンク容器のための密閉体が提供される。この密閉体はストローが挿入される開口部が内部に形成され、ドリンク容器に取り付けるための周辺部分を有する内側部材と、内側部材との間にコンパートメントを形成するよう、内側部材に嵌合されるようになっている外側部材とを含む。外側部材も開口部を有し、この外側部材の開口部は外側部材が内側部材に嵌合されている間、内側部材の開口部と整合する。これら整合した開口部によってストローを挿入することが可能となっている。ストローが内側部材と外側部材の整合した開口部に挿入されている間でも、内側部材はドリンク容器内の液体のコンパートメントへの流入を防止するような形状となっている。
【０００８】
一実施例では、内側部材がこの部材に盛り上がった部分を設けることによって、液体がコンパートメントに流入しないようになっており、この盛り上がった部分は外側部材が内側部材に嵌合されている間、外側部材の開口部を貫通するような構造および位置とされている。内側部材の開口部は盛り上がった部分内に形成された、一対の、十字に交差したスリットである。外側部材の開口部は円形であり、内側部材の盛り上がった部分は切頭円錐形となっている。円形開口部を囲む外側部材の部分は、外側部材が内側部材に嵌合されている間、盛り上がった部分の外側側面に摩擦嵌合するような大きさとなっている。これとは異なり、円形開口部を囲む外側部材の部分は、外側部材が内側部材に嵌合されている間、盛り上がった部分の外側側面のまわりに形成されたタブに当接するような大きさとなっている。十字に交差したスリットを形成する盛り上がった部分を設けることにより、ストローがスリットに挿入されていても、カップが正常に使用されている間、カップ内の液体がスリットを通り、コンパートメントに入ることがないよう、使用時にスリットはドリンク容器内の液体のレベルよりも十分上に位置する。従って、コップが最初に縁まで満たされ、ストローの挿入時に密閉体の大きな下方への変位が生じても、コンパートメント内の内容物が液体によって汚染されないように実質的に保護される。
【０００９】
この実施例においても、内側部材は周辺側壁を設けることによって液体がコンパートメントに流入するのを防止するような形状とされており、側壁は内側部材の周辺部分から内側部材と外側部材との間に形成されたコンパートメントに向かって上方に延びている。内側部材に周辺側壁を設けることによって、ストローを挿入するスリットは液体のレベルよりも更に十分高く位置する。更に、周辺側壁の構造により、コンパートメント自体もドリンク容器内の液体のレベルよりも上に位置する。従って、製造の欠陥の結果、またはカップに取り付ける前の誤った取り扱いの結果として内側部材にクラックが存在していても、コンパートメントの最下部分は液体のレベルの上に位置するので、液体がクラックを通って滲み出てコンパートメントに流入する可能性はない。従って、コンパートメント内の内容物は液体から更に保護される。更に、カップのリップの高さよりも上のコンパートメントの位置によってカップの内部容積が変位するのが防止され、よってこぼれが防止される。
【００１０】
一部の実施例ではコンパートメントは内側部材の開口部および外側部材の開口部がコンパートメントの中心に整合し、これら開口部に挿入したストローがディスク内の中心孔を貫通できるよう、デジタルメディアを含むディスク、例えばコンパクトディスク（ＣＤ）またはＣＤ−ＲＯＭが密に嵌合されるような形状となっている。別の実施例では、コンパクトディスク（ＣＤ）は内側部材および外側部材の開口部からずれており、開口部に挿入されたストローがコンパートメントの横を通るようになっており、コンパートメントは長方形であり、例えばパンフレットを保持できる。
【００１１】
本発明の別の特徴によれば、商品容器のための密閉体が提供される。この密閉体は、容器の開口部を取り付けるための密閉部材と、デジタルメディアディスクを容器の部材に固定するための手段とを含む。
【００１２】
一実施例では、デジタルメディアディスクを密閉部材に固定するための手段は、密閉部材の中心近くに形成された盛り上がった部分を含み、この盛り上がった部分は上部にデジタルメディアディスクを設置できるようなサイズの、ほぼ平らな、円形の上方表面によって囲まれている。盛り上がった部分の外側側面にはタブが形成されており、このタブは密閉部材の平らな円形上方表面にデジタルメディアディスクが載せられている間、デジタルメディアディスクの中心開口部の内側頂部エッジに当接するように位置する。この後者の実施例は単一部材しか有しない密閉体を提供するので、製造上、より安価とすることができる。
【００１３】
本発明の別の特徴および利点も同じように提供され、本発明の装置の実施例も提供される。
【発明を実施するための最良の形態】
【００１４】
添付図面を参照し、下記の詳細な説明から本発明の特徴、目的および利点がより明らかとなろう。図中、同様な番号は対応する部品を示す。
【００１５】
次に図１および２を参照する。ここには、本発明の第１の実施例の密閉体１０が示されている。この密閉体１０は内側部材１２と外側部材１４とを含み、使用時にはドリンク用カップまたは他の商品容器８に取り付けられるようになっている。図２の例では、カップ８は液体飲料水９を含む。内側部材と外側部材とは両者の間にデジタルメディアディスク１６、例えばＣＤ、ＣＤ−ＲＯＭまたは他の内容物を収納するためのコンパートメントを形成する。外側部材１４は、円筒形の高い側壁１４.２によって囲まれた中心のディスク状部分１４.１を有する。同様に、内側部材１２は一致する高い円筒形側壁１２.２によって囲まれた中心のディスク状部分１２.１を有する。高い側壁１２.２および１４.２を設けたことにより、内外部材は一般に飲料水内に内容物が浸漬しないように、飲料水９のレベルよりも十分上に、その内容物（例えばメディアディスク１６）を位置決めするように構成された倒立されたカップ形状となっている。上記のように、顧客は飲料水のカップがその縁まで満たされていることを通常望む。図１および２の密閉体の場合、ストロー（図示せず）を挿入しても、飲料水が滲み出たりこぼれたりする大きな危険性を生じることなく、カップの縁まで満たすことができる。この点に関しストローの挿入中にかなりの距離だけ下方に密閉体がずれても、密閉体の底部は飲料水の頂部レベルよりも高くと留まり、よって滲み出しまたはこぼれが防止される。
【００１６】
図１から判るように、外側部材１４のディスク状部分１４.１は周辺壁２０を形成する側壁１４.２の頂部エッジに対して若干凹状となっており、周辺壁２０は外側部材１４を強化するように働く。ディスク状部分１２.１から離間した円筒形側壁の下方エッジから外側に、切頭円錐形フランジ１２.３が延びている。同じように、ディスク状部分１４.１から離間した円筒形側壁１４.２の下方エッジから外側に切頭円錐形フランジ１４.３が延びている。切頭円錐形フランジ１４.３の内側面から内側に複数の突起２２が突出している。多数の突起２２を設けてもよい。突起２２を支持するために内側部材１２の切頭円錐形フランジ１２.３の外側面に適当な凹部２３が設けられているので、内側部材１２が外側部材１４と整合し、内側部材１２を外側部材１４に押し込んだときに、内側部材１２と外側部材１４とを入れ子状態にロックすることができる。内側部材１２と外側部材１４とは上記のような構成になっているので、これら部材を上記のように共にロックすると、デジタルメディアディスク１６を収納するのに十分大きいコンパートメント、すなわちキャビティが双方の部材の間に構成される。内側部材１２の中心には盛り上がった部分２４が形成されており、この部分２４は使用時にコンパクトディスク１６の中心開口部３９と共に外側部材１４の中心開口部３８内に密に嵌合する。従って、この盛り上がった部分２４は閉鎖内側部材１２と外側部材１４とが共にロックされ、コンパクトディスク１６が内側部材１２と外側部材１４との間に捕捉されると、これら部材１２および１４の共通する対称軸線とほぼ同軸状にコンパクトディスク１６を維持するように働く。
【００１７】
切頭円錐形フランジ１４.３は十分に弾性的かつ可撓性であり、凹部２３内へ突起２２が突出する程度は切頭円錐形フランジ１４.３の単一ポイントで内外に引くことによって外側部材１４を内側部材１２から離間できるように制限されている。購入者がかかる引っ張り力を外側部材１４に加え、よって外側部材を内側部材１２から離間させ、よってコンパクトディスク１６を取り出すことができるように、切頭円錐形フランジ１４.３の外周部の上には手動で把持できるプルタブ３０が設けられている。図示していないが、切頭円錐形フランジ１２.３の外周部にプルタブ３０に類似する別のプルタブを設け、デジタルディスク１２に即座に触れることなく、密閉体１２を取り除きたいときにカップまたは他の関連する商品容器から密閉体１０全体を容易に取り出すことができるようになっている。
【００１８】
ストロー（図示せず）を挿入するよう、盛り上がった部分２４の平坦な頂部には十字形のスリット３３が形成されている。こうして、内側部材１２の中心のディスク状部分から上方に延びている盛り上がった部分２４の頂部に、ストローを挿入するためのスリットが形成されている。ディスク状部分自身は高い側壁１２.２により密閉体１０が取り付けられているカップ８の上部エッジよりかなり上方に位置している。このような構造のため、スリットはカップ内に含まれている液体９のレベルよりもかなり上方に位置している。従って、カップを正常に使用している間、カップからの液体が十字スリット３３を通過し、デジタルメディアディスクを含むコンパートメントに流入する可能性はかなり少ない。カップが強く振られたり、または横に傾けられたり、逆さまにされたりしない限り、カップからの液体が十字スリットを通過する可能性はない。従って、内容物は良好に保護される。実施例によっては、盛り上がった部分は周辺のディスク状部分よりも少なくとも６．３５ｍｍ（４分の１インチ）上方に延びていることが好ましく、多くのケースでは１２．７ｍｍ（２分の１インチ）〜約１９．０５ｍｍ（４分の３インチ）またはそれ以上高く延びていることが好ましい。
【００１９】
更に、上記のように内側部材１２の高い側壁は液体の表面よりもかなり上にディスク状部分１２.１を位置決めしている。ディスク状部分１２.１はデジタルメディアディスクを収納するコンパートメントの底部を収納する。従って、製造上の欠陥の結果、またはカップに取り付ける前の誤った取り扱いの結果として、ディスク状部分１２.１内にクラックが存在していても、コンパートメントの最下部分は液体のレベルよりもかなり上に位置するので、クラックを通して液体がコンパートメント内に滲み出す恐れはなく、よってコンパートメントの内容物は実質的に液体から保護される。実施例に応じては、側壁はカップの頂部周辺えっいよりも上に、好ましくは少なくとも６．３５ｍｍ（４分の１インチ）だけ、好ましくは頂部周辺エッジよりも上に１２．７ｍｍ（２分の１インチ）〜３８．１ｍｍ（１.５インチ）まで高く、内側部材の平らなディスク状部分を位置決めするように十分高くなっている。
【００２０】
上記のように、外側部材１４の開口部３８を盛り上がった部分２４が貫通している。開口部３８の内側エッジ４０は、盛り上がった部分の外側円錐形側面に摩擦当接し、盛り上がった部分に対し外側部材の内側エッジを固定し、よって内側部分１２に対し外側部材１４を固定するのに助けるようなサイズとなっている。更に、盛り上がった部分２４に対する内側エッジ４０の摩擦嵌合によって更に液体の滲み出しを生じさせないようにコンパートメントをシールするのに役立っている。従って、恐らくはカップが傾けられたことによりカップからの液体が十字形スリット３３を通過しても液体がコンパートメントおよび内容物に進入することは極めてあり得ず、よってこれらは保護される。更に、図示するように、盛り上がった部分２４は円錐形側面のまわりに形成されたリブ５０も有することができるので、開口部３８の内側エッジ４０はこのリブに当接し、内側部材の盛り上がった部分に対し、外側部材の中心部分を更に固定できる。リブが設けられている実施例では、外側部材を盛り上がった部分に固定するのに、外側部材の内側エッジに対するリブの係合が十分な場合に、盛り上がった部材の側面に外側部材を摩擦適合させるようなサイズにする必要は必ずしもない。
【００２１】
次に図３および４を参照し、本発明の第２実施例について簡単に説明する。図３および４の実施例は図１および２の実施例に類似するが、適当な違いについてのみ詳細に説明することにする。同様な部品には次の位の番号を大きくした同様な番号が付けられている。
【００２２】
図３および４は、図１および２の密閉体１０に類似した密閉体１１０を示すが、外側部材１１４は内側部材１１２の中心ディスク状部分１１２.１の外周部までしか延びていない。外側部材１１４の外周部は周辺壁１２０の頂部エッジにスナップ嵌合するようになっている。外側部材１１４の外周部および周辺壁１２０に適当なスナップ嵌合構造体が設けられている。
【００２３】
従って、図１および２の実施例とは異なり、外側部材は内側部材の側壁に沿って延びる側壁を含まない。それにもかかわらず、内側部材と外側部材との間に保持されたデジタルメディアディスク１１６のような内容物は、良好に固定され、カップ内に収容されている液体による汚染から実質的に保護されている。この点に関し、図３および４の実施例は、内側部材の一部として高い側壁が設けられていること、十字スリットが形成された盛り上がった中心部分が設けられていること、外側部材の内側エッジと盛り上がった部分の側面との間が摩擦シールされていること、カップ内の液体のレベルよりもかなり上方にディスクを含むコンパートメントの底部表面が位置決めされていることを含む、図１および２の実施例と同じ利点の多くを有する。
【００２４】
次に図５および６を参照し、本発明の第３実施例について簡単に説明する。図５および６の実施例はこれまでの実施例に類似するが、適当な違いについてのみ詳細に説明することにする。先と同じように、同様な部品にては次の位の桁の数字を大きくした同様な番号を付けることにする。
【００２５】
図５および６は、図１および２の密閉体１０と同様な形態２１０を示すが、この密閉体２１０は図１および２の内側部材１２に対応する１つの部材２１２しか有していない。盛り上がった部分２２４は保持タブ２５０を含み、この保持タブ２５０はデジタルメディアディスク２１６の中心開口部の内側エッジに当接し、よってディスクを単一の密閉部材のディスク状中心部分２１２.１の頂部表面に固定するようになっている。図６に最良に示されるように、盛り上がった部分２２４の周辺に放射状に離間するように複数のタブが使用されている。図６にはかかる４つのタブが示されている。別の実施例では、これよりも多いか、または少ない数のタブを使用してもよい。特に３つのタブが適当な場合もあれば、複数の個々のタブに対し、盛り上がった部分の全周に延びる単一のリブが好ましい場合もある。
【００２６】
従って、密閉体の中心の盛り上がった部分にタブまたはリブを設けることによって、外側部材を必要とせずにデジタルメディアディスクを固定できる。それにもかかわらず、液体レベルよりもかなり高い位置にディスクを位置決めする高い側壁により、および十字交差スロットが形成される盛り上がった部分２２４によりディスクをカップの液体内容物から実質的に保護できる。更にデジタルメディアディスクを保護するために、図５に示されるようにシール部材２５２を設けることができる。このシール部材は薄いフォイルシートとすることができる。
【００２７】
次に図７〜１４を参照し、本発明の第４実施例について簡単に説明する。図７〜１４の実施例は上記実施例に類似するので、適当な違いだけを詳細に説明することにする。先の記載と同じように、同様な部品には次の位の桁の数字を大きくした同様な番号を付けることにする。第４実施例を簡潔に示すために、実施例の頂部部分、すなわち上方部分の４つの図（図７〜１０）が示されており、実施例の底部、すなわち内側部分の４つの図が別個に示されている。
【００２８】
図７〜１４は内側部材３１２および外側部材３１４が、デジタルメディアディスクを保持するためのディスク状のコンパートメントではなく、パンフレットまたは同等品を保持するための長方形のコンパートメント３１６を構成するようになっている密閉体３１０を示す。外側部材の盛り上がった部分３２４および内側部材の盛り上がった部分３２５は、密閉体を通してカップ内に挿入されたストローがコンパートメントを貫通せずに、コンパートメント３１６の側面に沿って、よってコンパートメント内部の内容物が中心孔または開口部を有しなくてもよいように密閉体の中心からずれている。それにもかかわらず、図７〜１４の実施例は、内側部材および外側部材の一部として高い側壁が設けられていること、交差スリットが形成されている内側部材の盛り上がった部分が設けられていること、およびカップ内の液体のレベルよりもかなり上方にコンパートメントの底部表面が位置決めされていることを含む、図１および２の実施例の同じ利点の多くを有する。
【００２９】
次に図１５〜１８を参照し、本発明の第５実施例について簡単に説明する。図１５〜１８の実施例はこれまでの実施例に類似するが、適当な違いについてのみ詳細に説明することにする。先と同じように、同様な部品については次の位の桁の数字を大きくした同様な番号を付けることにする。
【００３０】
図１５〜１８は、内側部材４１２および外側部材４１４がデジタルメディアディスクを保持するためのディスク状のコンパートメントではなく、パンフレットまたは同等品を保持するための湾曲したコンパートメント４１６を構成するようになっている密閉体４１０を示す。図１５および１７に最良に示されるように、上部部材は内側部材の頂部にスナップ嵌合し、両部材の間にコンパートメントを形成するようなサイズおよび構成になっている小さい湾曲した部材である。従って、図１５〜１８の実施例は、他の実施例と同じように上方部材が内側部材をかなりカバーするのではなく、内側部材の頂部にスナップ嵌合するようなサイズとなっている図３および４の実施例といくつかの点で類似している。他の点では、図１５〜１８の実施例は、密閉体を通り、カップ内に挿入されたストローがコンパートメントを通過するのではなく、コンパートメントの側面に沿って通過するように、密閉体の中心からずれている、図７〜１４の実施例に類似している。
【００３１】
次に図１９〜２１を参照し、本発明の第６実施例について簡単に説明する。図１９〜２１の実施例はこれまでの実施例に類似するが、適当な違いについてのみ詳細に説明することにする。先と同じように、同様な部品については次の位の桁の数字を大きくした同様な番号を付けることにする。
【００３２】
図１９〜２１は、内側部材５１２および外側部材５１４を含む密閉体５１０を示す。内側部材５１２と外側部材５１４との間にはコンパクトディスク、すなわちＣＤレコードを捕捉できる。図１９と２０を比較すると判るように、外側部材５１４はディスク状の中心部分５１４.１を有し、この中心部分の周辺には浅い円筒形フランジ５１４.２が起立している。従って、外側部材５１４は一般に極めて浅いカップ形状となることが理解できよう。図１９から判るように、外側部材５１４のディスク状部分５１４.１内にはわずかなリセス、すなわち凹部５１８が形成されており、この外側部材５１４の壁５２０の凹部は周知のように外側部材５１４を強化するように働く。図１９にも示されているように、ディスク状部分５１４.１から離間した円筒形フランジ５１４.２の下方エッジから外側に切頭円錐形フランジ５１４.３が延びている。切頭円錐形フランジ５１４.３の内側面から内側に複数の突起５２２が突出しているが、実際にはもっと多い数の突起５２２を設けることもできる。内側部材５２１が外側部材５１４に整合し、前者が後者に押し込められると、突起５２２が嵌合され、よって内側部材５１２と外側部材５１４とを入れ子式にロックするための適当な凹部５２３が内側部材５１２の切頭円錐形フランジ５１４.３の外側面に設けられている。
【００３３】
内側部材５１２と外側部材５１４とはこれらが上記のように共にロックされると、両者の間にコンパクトディスク５１６を収納するのに十分大きいキャビティが構成されるような構造となっていると理解すべきである。図１９からも判るように、凹部５１８の外側のディスク状面にボス５２４が盛り上がっており、このボス５２４はコンパクトディスク５１６の中心開口部５２６内に密に嵌合している。このことから、ボス５２４は上記部材がこれまで述べたように共にロックされ、内側部材５１２と外側部材５１４との間にコンパクトディスク５１６を捕捉できるようになった時に、密閉部材５１２と５１４の共通する対称軸線とほぼ同軸状にコンパクトディスク５１６を維持するように働くことになる。
【００３４】
プラスチック技術における当業者が本明細書を読めば明らかなように、切頭円錐形フランジ５１４.３は十分に弾性的かつ可撓性であり、切頭円錐形フランジ５１４.３の単一ポイントを外側かつ内側に引くと、外側部材５１４を内側部材５１２から離間できるように凹部５２３への突起５２２の突出度が制限されている。購入者が外側部材５１４にかかる引っ張り力を加え、内側部材５１２から外側部材を分離させ、よって容易にコンパクトディスク５１６を取り出すことができるように、切頭円錐形フランジ５１４.３の外周部上のある点に手動で把持できるプルタブ５３０が設けられている。
【００３５】
再び図１９を参照すると、内側部材５１２はディスク状部分５１２.１と、実質的に円筒形のフランジ部分５１２.２と、切頭円錐形フランジ部分５１２.３とを含むことが理解できよう。内側部材５１２のこれら部分は一般に外側部材５１４の主要部分に対応している。図１９からも判るように、切頭円錐形フランジ部分５１２.３には外側部材５１４の内側に突出する突起５２２に類似する内側に突出する突起５３２が設けられている。これら突起５３２は密閉体５１０を取り付けるべき商品容器の一部と効率的に協働するように構成されている。従って、例えば密閉体５１０を周知のタイプのアルミのソフトドリンク缶に取り付けなければならない場合、突起５３２はそのソフトドリンク缶のビードまたは他の構造的特徴部に係合し、密閉体５１０をそのソフトドリンク缶の上端部にロックするように構成されている。
【００３６】
切頭円錐形フランジ５１２.３の周辺にはプルタブ５３０に対応するプルタブ５３４を設け、コンパクトディスク５１６に触れることなく、密閉体６１０を取り出したい時に、密閉体５１０全体をソフトドリンク缶または他の関連する商品容器から容易に取り出すようにできる。
【００３７】
図２０および２１から最良に理解できるように、商品容器がオープントップタイプのカップまたは同等品であり、密閉体５１０がファーストフードレストランでソフトドリンクが提供される場合の単なる密閉体であるような本発明の応用例では、内側部材５１２および外側部材５１４にそれぞれ交差スリット５４０、５４２のペアを設け、ソーダストローを部材５１２および５１４を通して関連する商品容器の内側に挿入できる。
【００３８】
密閉体５１０の内側部材および外側部材は、周知の態様で周知の所定のプラスチック材料を真空成形または射出成型することによって製造できる。真空成形時にブランクを形成するプラスチックシート材料の厚みは、約０．１２７ｍｍ（約０.００５インチ）から極端なケースでは約１．５２４ｍｍ（約０.０６０インチ）以上の範囲とすることができる。これらシート材料は透明または不透明、または透明と不透明の組み合わせとすることができる。一部の応用例ではスチレンが適当な材料となる。本発明の所定の実施例では、コンパクトディスク５１０を他の製品、例えばプロモーショナルマテリアル、報奨提供品、製品サンプルなどに置き換えてもよい。
【００３９】
本発明の所定の応用例における商品容器はポップコーンのバケット、ソフトドリンク缶、ビールの缶、自動車のオイル缶、所定の調理済み食品、例えばトマトの販売に使用される缶、およびピーナツを販売する特殊なサイズの缶とすることができる。図２２は密閉体６１０が従来の缶６０８に取り付けられている実施例を示す。この密閉体は図示するようなデジタルメディアディスク６１０を収納するようなサイズのコンパートメントを形成する内側部材６１２と外側部材６１４とを含む。ディスクの固定を助けるように、デジタルディスクの中心孔内に下方に、上方部材６１４の中心の凹状部分６２４が延びている。内側部材および外側部材の周辺エッジは缶のリム６１３にスナップ嵌合するようになっている。この密閉体はリム６１３の上部レベルよりも下方に缶６０８の凹部６１５内にあるデジタルディスクを位置決めするようなサイズと構造にされている。従って、内部に含まれる密閉体およびディスクが設けられていても、缶の全高を大幅に増すことはなく、よって缶を容易にパックし、上下に重ねることが可能である。
【００４０】
以上で、主にデジタルメディアディスクを参照して本発明を説明したが、本発明の密閉体は他の異なるアイテム、例えばゲームカード、ゲーム物品、おもちゃ、クーポン、スタンプおよびスティッカー、スクラッチカードなどを保持し、ディスプレイするような異なる構造に形成できることも理解すべきである。
【００４１】
更に、本発明の一部として、本発明の所定の応用例では例えば超音波溶接または熱溶接により内側部材と外側部材とを永久的に接合し、内側部材と外側部材との間に収納されるプレミアムまたは他のアイテムを取り出すためには密閉体を破壊しなければならないようにすることが望ましいと更に理解すべきである。
【００４２】
本発明の別の特徴によれば、本発明の特定の実施例または複数の実施例の外側密閉部材に拡大レンズまたは歪みレンズを組み込み、外側密閉部材の上方表面に設けられたリセス内の印刷物または物体を拡大したり、またはひずませるようにすることができる。本発明のこのような実施例で示されるレンズは、一般的なレンズまたはフレンネルレンズとすることができる。本発明の密閉体の外側部材の上部表面内のリセスは、リセスの壁から突出する複数の耳部を有する、浅く、底部の平らなリセスとすることができ、この耳部は内部に取り付けるべき工芸作品または他の物体をリセス内に下方に押し込むと、自動的にタブの下にトラップされた状態となるように構成することができる。
【００４３】
以上で、商品容器、特にドリンクカップと共に使用するための密閉体の種々の実施例について説明した。しかしながら、本明細書に説明した例は単に本発明の特徴を説明するためのものであり、本明細書に説明した発明の一般的な原理と一致した態様で実施できる、本発明の範囲を制限するものと見なすべきでない。
【図面の簡単な説明】
【００４４】
【図１】密閉体の対称軸線を含む平面に沿った、本発明の第１実施例の商品容器密閉体の横断面図である。
【図２】密閉体の対称軸線を含む平面に沿った、図１の商品容器密閉体の分解横断面図である。
【図３】本発明の第２実施例の商品容器密閉体の斜視図である。
【図４】ドリンクカップに取り付けられた状態に示された、図３の商品容器密閉体の斜視図である。
【図５】密閉体の対称軸線を含む平面に沿った、本発明の第３実施例の商品容器密閉体の横断面図である。
【図６】密閉体の対称軸線を含む平面に沿った、図５の商品容器密閉体の分解横断面図である。
【図７】本発明の第４実施例の商品容器密閉体の頂部部分の正側面図である。
【図８】図７の頂部部分の平面図である。
【図９】図７の頂部部分の側面図である。
【図１０】９０度回転した、図７の頂部部分の別の平面図である。
【図１１】本発明の第４実施例の商品容器密閉体の底部部分の正側面図である。
【図１２】図１１の底部部分の平面図である。
【図１３】図１１の頂部部分の側面図である。
【図１４】９０度回転した、図１１の底部部分の別の平面図である。
【図１５】本発明の第５実施例の商品容器密閉体の分解正面図である。
【図１６】図１５の容器の平面図である。
【図１７】図１５の密閉体の分解側面図である。
【図１８】９０度回転した、図１５の密閉体の別の平面図である。
【図１９】密閉体の対称軸線を含む平面に沿った、本発明の第６実施例の商品容器密閉体の分解横断面図である。
【図２０】図１９に示された実施例の密閉体の外側部材の平面図である。
【図２１】図１９および図２０に示された本発明の実施例の密閉体の内側部材の平面図である。
【図２２】缶に取り付けられる密閉体を提供する第６実施例の側面図である。
【符号の説明】
【００４５】
８    カップ
９    飲料水
１０    密閉体
１２    内側部材
１２.１    ディスク状中心部分
１２.２    側壁
１４    外側部材
１４.１    ディスク状中心部分
１４.２    側壁
１４.３    切頭円錐形フランジ
１６    デジタルメディアディスク
２０    周辺壁
２２    突起
２３    凹部
２４    盛り上がった部分
３０    プルタブ
３８    中心開口部
３９    中心開口部
４０    内側エッジ
５０    リブ
【図１】
2004352373.tif 000003
【図２】
2004352373.tif 000004
【図３】
2004352373.tif 000005
【図４】
2004352373.tif 000006
【図５】
2004352373.tif 000007
【図６】
2004352373.tif 000008
【図７】
2004352373.tif 000009
【図８】
2004352373.tif 000010
【図９】
2004352373.tif 000011
【図１０】
2004352373.tif 000012
【図１１】
2004352373.tif 000013
【図１２】
2004352373.tif 000014
【図１３】
2004352373.tif 000015
【図１４】
2004352373.tif 000016
【図１５】
2004352373.tif 000017
【図１６】
2004352373.tif 000018
【図１７】
2004352373.tif 000019
【図１８】
2004352373.tif 000020
【図１９】
2004352373.tif 000021
【図２０】
2004352373.tif 000022
【図２１】
2004352373.tif 000023
【図２２】
2004352373.tif 000024
【手続補正書】
【提出日】平成16年11月1日(2004.11.1)
【手続補正１】
【補正対象書類名】特許請求の範囲
【補正対象項目名】全文
【補正方法】変更
【補正の内容】
【特許請求の範囲】
【請求項１】
ストローが挿入される、内部に形成された開口部を有し、ドリンク容器のリムに取り付けるための周辺部分を有し、凸状に湾曲した頂部表面を形成する中心部分を含む、一体的な内側部材と、
前記内側部材の上面との間に、凸状に湾曲したコンパートメントを形成するよう、前記内側部材の前記中心部分に嵌合されるようになっている、凸状に湾曲した一体的外側部材とを備え、
使用時にコンパートメントの底部がドリンク容器のリムよりも上方に位置するように、コンパートメントの底部を形成する前記内側部材の部分が、前記内側部材の前記周辺部分よりも上方に位置する、ドリンク容器のための密閉体。
【請求項２】
内側部材が、前記内側部材の周辺部分から前記内側部材の部分と外側部材の部分との間に形成されたコンパートメントに向かって上に延びる周辺側壁を含む、請求項１記載の密閉体。
【請求項３】
内側部材の開口部が交差したスリットを含む、請求項１記載の密閉体。
【手続補正２】
【補正対象書類名】明細書
【補正対象項目名】全文
【補正方法】変更
【補正の内容】
【発明の詳細な説明】
【技術分野】
【０００１】
本発明は、ドリンク容器ための密閉体に関する。
【背景技術】
【０００２】
ソフトドリンク用カップのような商品容器のための密閉体は周知である。あるケースでは密閉体に賞品、ゲームメダル、プレミアムなどを保持するためのコンパートメントを設けることが望ましい。このような場合、購入者はソフトドリンクなどを購入した後に内部の内容物を見るために、例えば、賞品が当たっているかどうかを見るために密閉体を開ける。
【発明の開示】
【発明が解決しようとする課題】
【０００３】
しかしながら、特に密閉体がドリンク用カップまたは飲料水を含む他の容器に対して使用されている際に、コンパートメントが設けられている密閉体では問題が生じる。一般に密閉体には、例えばストローを挿入するための、一対の十字状に交差したスリットのような開口部が設けられている。このスリットにストローを挿入すると、このスリットを通して液体が出て、コンパートメントに流れ込み、内部の内容物を汚してしまい、恐らく内容物を使用不能にしてしまうことがある。当然ながら、スリットが形成されている容器の部分が飲料水の高さの近くに配置している場合、スリットを通る滲み出しは実質的に不可避である。かかるケースではスリットに最初にストローを挿入する結果として、密閉体が下方へ移動することによって一般にスリットが飲料水内に埋没し、スリットを通してかなりの滲み出しが生じる。密閉体のコンパートメントがカップの縁の高さまたはそれ以下にあるケースでは、このコンパートメントの空間は実際にはカップの内部容積を排除するので、密閉体を取り付ける際に、完全に満たされた飲料水のかなりの漏れが生じる。更に、ファーストフードのレストランなどにおける顧客は通常、飲料水を縁まで満たすことを好む。飲料水が縁まで満たされている状態にあると、ストローを挿入した時、または密閉体を取り付けたときにかなりの滲み出しや漏れが生じたり、レストランのスタッフが漏れた飲料水をモップでふき取らなければならないという余分な作業が生じる。このような問題を解消するために、飲料水のカップは縁よりも低い特定の高さまでしか満たされていないことが多い。従って、カップに自動充填するレストランでは、自動充填装置を正しくセットし、飲料水が特定レベルを越えないようにモニタする必要がある。スタッフがカップに手動で満たす場合、スタッフはカップの特定レベルまでしか満たさないように常に注意していなければならない。更に、多くのファーストフードレストランでは、顧客は自分の飲料水カップを満たし、顧客自身が注ぎ足すことができるようになっている。顧客がコップの縁まで満たすと、その後、こぼれていることに気が付いていないことが多く、よって顧客は一般にコップを過度に満たしたり、飲料水のディスペンサーの近くで頻繁で、かつかなりの漏れを生じさせることが多い。
【０００４】
更に、スリットを通した滲みだし、またはこぼれが生じなくても、一般にプラスチックで形成されている密閉体自身にクラック（ひび割れ）または他の変形があることがあり、このことによってもコンパートメントへの滲み出しが生じる。かかるクラックは製造中、または恐らくはドリンク容器に密閉体を取り付ける前の密閉体の誤った取り扱いの結果生じる。コンパートメントを形成する密閉体の内部にクラックが存在している場合に、液体はクラックを通して滲み出し、コンパートメントに進入し、内部の内容物を破壊してしまう。コンパートメントの底部を形成する密閉体部分に、かかるクラックがあり、かかる部分が液体のレベルの近くまたはそれ以下にある場合、クラックを通した滲み出しは実質的に不可避である。ストローをスリットに下方に挿入する結果、密閉体が曲がっても、かかるクラックを大きくしたり、かかるクラックを生じさせたりすることがあり得る。
【０００５】
一般に密閉体がドリンク用容器に取り付けられる際に、スリットまたはコンパートメントの底部がドリンク容器の頂部周辺エッジに、またはその下方に位置するよう、容器の十字に交差したスリットまたはコンパートメント自身が位置している場合、滲み出しまたはこぼれが生じるかなりの危険性が生じる。不幸なことに、ドリンク容器のための従来のコンパートメント密閉体は十字に交差したスリットとコンパートメントの底部の双方をドリンク容器の頂部周辺エッジよりもかなり下方に設けるように構成されている。
【０００６】
商品容器密閉体、特にドリンク容器と共に使用するための密閉体に、上記問題を解消するように密閉体を構成し、本発明が主に解決しようとする目的のためのコンパートメントを設けることが望ましい。
【課題を解決するための手段】
【０００７】
本発明によれば、ストローが挿入される、内部に形成された開口部を有し、ドリンク容器のリムに取り付けるための周辺部分を有し、凸状に湾曲した頂部表面を形成する中心部分を含む、一体的な内側部材と、
前記内側部材の上面との間に、凸状に湾曲したコンパートメントを形成するよう、前記内側部材の前記中心部分に嵌合されるようになっている、凸状に湾曲した一体的外側部材とを備え、
使用時にコンパートメントの底部がドリンク容器のリムよりも上方に位置するように、コンパートメントの底部を形成する前記内側部材の部分が、前記内側部材の前記周辺部分よりも上方に位置する、ドリンク容器のための密閉体が提供される。
【発明を実施するための最良の形態】
【０００８】
添付図面を参照し、下記の詳細な説明から本発明の特徴、目的および利点がより明らかにする。図中、同様な番号は対応する部品を示す。
【０００９】
図１および２には、本発明に類似する、第１の参考例の密閉体１０が示されている。この密閉体１０は内側部材１２と外側部材１４とを含み、使用時にはドリンク用カップまたは他の商品容器８に取り付けられるようになっている。図２の例では、カップ８は液体飲料水９を含む。内側部材と外側部材とは両者の間にデジタルメディアディスク１６、例えばＣＤ、ＣＤ−ＲＯＭまたは他の内容物を収納するためのコンパートメントを形成する。外側部材１４は、円筒形の高い側壁１４.２によって囲まれた中心のディスク状部分１４.１を有する。同様に、内側部材１２は一致する高い円筒形側壁１２.２によって囲まれた中心のディスク状部分１２.１を有する。高い側壁１２.２および１４.２を設けたことにより、内外部材は一般に飲料水内に内容物が浸漬しないように、飲料水９のレベルよりも十分上に、その内容物（例えばメディアディスク１６）を位置決めするように構成された倒立されたカップ形状となっている。上記のように、顧客は飲料水のカップがその縁まで満たされていることを通常望む。図１および２の密閉体の場合、ストロー（図示せず）を挿入しても、飲料水が滲み出たりこぼれたりする大きな危険性を生じることなく、カップの縁まで満たすことができる。この点に関しストローの挿入中にかなりの距離だけ下方に密閉体がずれても、密閉体の底部は飲料水の頂部レベルよりも高くと留まり、よって滲み出しまたはこぼれが防止される。
【００１０】
図１から判るように、外側部材１４のディスク状部分１４.１は周辺壁２０を形成する側壁１４.２の頂部エッジに対して若干凹状となっており、周辺壁２０は外側部材１４を強化するように働く。ディスク状部分１２.１から離間した円筒形側壁の下方エッジから外側に、切頭円錐形フランジ１２.３が延びている。同じように、ディスク状部分１４.１から離間した円筒形側壁１４.２の下方エッジから外側に切頭円錐形フランジ１４.３が延びている。切頭円錐形フランジ１４.３の内側面から内側に複数の突起２２が突出している。多数の突起２２を設けてもよい。突起２２を支持するために内側部材１２の切頭円錐形フランジ１２.３の外側面に適当な凹部２３が設けられているので、内側部材１２が外側部材１４と整合し、内側部材１２を外側部材１４に押し込んだときに、内側部材１２と外側部材１４とを入れ子状態にロックすることができる。内側部材１２と外側部材１４とは上記のような構成になっているので、これら部材を上記のように共にロックすると、デジタルメディアディスク１６を収納するのに十分大きいコンパートメント、すなわちキャビティが双方の部材の間に構成される。内側部材１２の中心には盛り上がった部分２４が形成されており、この部分２４は使用時にコンパクトディスク１６の中心開口部３９と共に外側部材１４の中心開口部３８内に密に嵌合する。従って、この盛り上がった部分２４は閉鎖内側部材１２と外側部材１４とが共にロックされ、コンパクトディスク１６が内側部材１２と外側部材１４との間に捕捉されると、これら部材１２および１４の共通する対称軸線とほぼ同軸状にコンパクトディスク１６を維持するように働く。
【００１１】
切頭円錐形フランジ１４.３は十分に弾性的かつ可撓性であり、凹部２３内へ突起２２が突出する程度は切頭円錐形フランジ１４.３の単一ポイントで内外に引くことによって外側部材１４を内側部材１２から離間できるように制限されている。購入者がかかる引っ張り力を外側部材１４に加え、よって外側部材を内側部材１２から離間させ、よってコンパクトディスク１６を取り出すことができるように、切頭円錐形フランジ１４.３の外周部の上には手動で把持できるプルタブ３０が設けられている。図示していないが、切頭円錐形フランジ１２.３の外周部にプルタブ３０に類似する別のプルタブを設け、デジタルディスク１２に即座に触れることなく、密閉体１２を取り除きたいときにカップまたは他の関連する商品容器から密閉体１０全体を容易に取り出すことができるようになっている。
【００１２】
ストロー（図示せず）を挿入するよう、盛り上がった部分２４の平坦な頂部には十字形のスリット３３が形成されている。こうして、内側部材１２の中心のディスク状部分から上方に延びている盛り上がった部分２４の頂部に、ストローを挿入するためのスリットが形成されている。ディスク状部分自身は高い側壁１２.２により密閉体１０が取り付けられているカップ８の上部エッジよりかなり上方に位置している。このような構造のため、スリットはカップ内に含まれている液体９のレベルよりもかなり上方に位置している。従って、カップを正常に使用している間、カップからの液体が十字スリット３３を通過し、デジタルメディアディスクを含むコンパートメントに流入する可能性はかなり少ない。カップが強く振られたり、または横に傾けられたり、逆さまにされたりしない限り、カップからの液体が十字スリットを通過する可能性はない。従って、内容物は良好に保護される。盛り上がった部分は周辺のディスク状部分よりも少なくとも６．３５ｍｍ（４分の１インチ）上方に延びていることが好ましく、多くのケースでは１２．７ｍｍ（２分の１インチ）〜約１９．０５ｍｍ（４分の３インチ）またはそれ以上高く延びていることが好ましい。
【００１３】
更に、上記のように内側部材１２の高い側壁は液体の表面よりもかなり上にディスク状部分１２.１を位置決めしている。ディスク状部分１２.１はデジタルメディアディスクを収納するコンパートメントの底部を収納する。従って、製造上の欠陥の結果、またはカップに取り付ける前の誤った取り扱いの結果として、ディスク状部分１２.１内にクラックが存在していても、コンパートメントの最下部分は液体のレベルよりもかなり上に位置するので、クラックを通して液体がコンパートメント内に滲み出す恐れはなく、よってコンパートメントの内容物は実質的に液体から保護される。側壁は、カップの頂部周辺エッジよりも上に、好ましくは少なくとも６．３５ｍｍ（４分の１インチ）だけ、好ましくは頂部周辺エッジよりも上に１２．７ｍｍ（２分の１インチ）〜３８．１ｍｍ（１.５インチ）まで高く、内側部材の平らなディスク状部分を位置決めするように十分高くなっているとよい。
【００１４】
上記のように、外側部材１４の開口部３８を盛り上がった部分２４が貫通している。開口部３８の内側エッジ４０は、盛り上がった部分の外側円錐形側面に摩擦当接し、盛り上がった部分に対し外側部材の内側エッジを固定し、よって内側部分１２に対し外側部材１４を固定するのに助けるようなサイズとなっている。更に、盛り上がった部分２４に対する内側エッジ４０の摩擦嵌合によって更に液体の滲み出しを生じさせないようにコンパートメントをシールするのに役立っている。従って、恐らくはカップが傾けられたことによりカップからの液体が十字形スリット３３を通過しても液体がコンパートメントおよび内容物に進入することは極めてあり得ず、よってこれらは保護される。更に、図示するように、盛り上がった部分２４は円錐形側面のまわりに形成されたリブ５０も有することができるので、開口部３８の内側エッジ４０はこのリブに当接し、内側部材の盛り上がった部分に対し、外側部材の中心部分を更に固定できる。リブが設けられている例では、外側部材を盛り上がった部分に固定するのに、外側部材の内側エッジに対するリブの係合が十分な場合に、盛り上がった部材の側面に外側部材を摩擦適合させるようなサイズにする必要は必ずしもない。
【００１５】
図３および図４を参照し、本発明に類似する、第２の参考例について説明する。図３および４の例は図１および２の例に類似するが、相違点についてのみ詳細に説明することにする。同様な部品には次の位の番号を大きくした同様な番号が付けられている。
【００１６】
図３および図４は、図１および２の密閉体１０に類似した密閉体１１０を示すが、外側部材１１４は内側部材１１２の中心ディスク状部分１１２.１の外周部までしか延びていない。外側部材１１４の外周部は周辺壁１２０の頂部エッジにスナップ嵌合するようになっている。外側部材１１４の外周部および周辺壁１２０に適当なスナップ嵌合構造体が設けられている。
【００１７】
従って、図１および図２の例とは異なり、外側部材は内側部材の側壁に沿って延びる側壁を含まない。それにもかかわらず、内側部材と外側部材との間に保持されたデジタルメディアディスク１１６のような内容物は、良好に固定され、カップ内に収容されている液体による汚染から実質的に保護されている。この点に関し、図３および図４の例は、内側部材の一部として高い側壁が設けられていること、十字スリットが形成された盛り上がった中心部分が設けられていること、外側部材の内側エッジと盛り上がった部分の側面との間が摩擦シールされていること、カップ内の液体のレベルよりもかなり上方にディスクを含むコンパートメントの底部表面が位置決めされていることを含む、図１および２の例と同じ利点の多くを有する。
【００１８】
図５および６を参照し、本発明に類似する、第３の参考例について説明する。図５および６の例はこれまでの例に類似するが、相違点についてのみ詳細に説明することにする。先と同じように、同様な部品にては次の位の桁の数字を大きくした同様な番号を付けることにする。
【００１９】
図５および６は、図１および２の密閉体１０と同様な密閉体２１０を示すが、この密閉体２１０は図１および２の内側部材１２に対応する１つの部材２１２しか有していない。盛り上がった部分２２４は保持タブ２５０を含み、この保持タブ２５０はデジタルメディアディスク２１６の中心開口部の内側エッジに当接し、よってディスクを単一の密閉部材のディスク状中心部分２１２.１の頂部表面に固定するようになっている。図６に示されているように、盛り上がった部分２２４の周辺に放射状に離間するように複数のタブが使用されている。図６にはかかる４つのタブが示されている。別の例では、これよりも多いか、または少ない数のタブを使用してもよい。特に３つのタブが適当な場合もあれば、複数の個々のタブに対し、盛り上がった部分の全周に延びる単一のリブが好ましい場合もある。
【００２０】
従って、密閉体の中心の盛り上がった部分にタブまたはリブを設けることによって、外側部材を必要とせずにデジタルメディアディスクを固定できる。それにもかかわらず、液体レベルよりもかなり高い位置にディスクを位置決めする高い側壁により、および十字交差スロットが形成される盛り上がった部分２２４によりディスクをカップの液体内容物から実質的に保護できる。更にデジタルメディアディスクを保護するために、図５に示されるようにシール部材２５２を設けることができる。このシール部材は薄いフォイルシートとすることができる。
【００２１】
図７〜１４を参照し、本発明に類似する、第４の参考例について説明する。図７〜１４の例は、これまでの例に類似するので、相違点だけを詳細に説明することにする。先の記載と同じように、同様な部品には次の位の桁の数字を大きくした同様な番号を付けることにする。この例を簡潔に示すために、上方部分の４つの図（図７〜１０）が示されており、また底部、すなわち内側部分の４つの図が別個に示されている。
【００２２】
図７〜１４は内側部材３１２および外側部材３１４が、デジタルメディアディスクを保持するためのディスク状のコンパートメントではなく、パンフレットまたは同等品を保持するための長方形のコンパートメント３１６を構成するようになっている密閉体３１０を示す。外側部材の盛り上がった部分３２４および内側部材の盛り上がった部分３２５は、密閉体を通してカップ内に挿入されたストローがコンパートメントを貫通せずに、コンパートメント３１６の側面に沿って、よってコンパートメント内部の内容物が中心孔または開口部を有しなくてもよいように密閉体の中心からずれている。それにもかかわらず、図７〜１４の例は、内側部材および外側部材の一部として高い側壁が設けられていること、交差スリットが形成されている内側部材の盛り上がった部分が設けられていること、およびカップ内の液体のレベルよりもかなり上方にコンパートメントの底部表面が位置決めされていることを含む、図１および図２の例の同じ利点の多くを有する。
【００２３】
図１５〜１８には、本発明によるドリンク容器のための密閉体の実施例が示されている。図１５〜１８の実施例はこれまでの例に類似するが、相違点についてのみ詳細に説明する。先と同じように、同様な部品については次の位の桁の数字を大きくした同様な番号を付けることにする。
【００２４】
図１５における密閉体410は、内側部材412と外側部材414により形成され、凸状に湾曲したコンパートメント416を有し、その中に、パンフレット等を収容するようになっている。
【００２５】
内側部材412は、ストローを挿入するための開口部と、ドリンク容器のリムに取り付けるための周辺部分を備えている。この開口部は、十字状のスリットであるとよい。内側部材412は、凸状に湾曲した表面を中央に備えている。内側部材412は、また、内側部材412と外側部材414との間に形成されたコンパートメントの方向へ、内側部材414の周辺部分から上方向に延びる周辺側壁を備えている。外側部材414は、内側部材412と結合され、それらの間に、凸状に湾曲したコンパートメントを形成するようになっている。コンパートメントの底部をなす内側部材412の部分は、内側部材412の周辺部分よりも上方に設けられ、それにより、使用の際に、コンパートメントの底部は、ドリンク部材のリムよりも上方になっている。
【００２６】
図１５と図１７に示されているように、外側部材414は、小さく湾曲した部材よりなり、内側部材412の上面に嵌めこまれ、凸状に湾曲したコンパートメントを形成するようになっている。図１５〜１８に示された実施例においては、外側部材414は、内側部材412を覆うのではなく、むしろ、内側部材412に嵌めこむようなサイズに作られている。図１５〜１８に示された実施例においては、内側部材412の盛り上がった部分424は、密閉体の中心と外れており、それにより、密閉体を介して容器に挿入されるストローが、コンパートメントを介してではなく、コンパートメントのそばを通過するようになっている。
【００２７】
本発明の所定の応用例における商品容器はポップコーンのバケット、ソフトドリンク缶、ビールの缶、自動車のオイル缶、所定の調理済み食品、例えばトマトの販売に使用される缶、およびピーナツを販売する特殊なサイズの缶とすることができる。
【００２８】
本発明の所定の応用例では例えば超音波溶接または熱溶接により内側部材と外側部材とを永久的に接合し、内側部材と外側部材との間に収納された賞品や他の物品を取り出すために密閉体を破壊しなければならないようにすることが望ましい。
【００２９】
本発明の別の特徴によれば、本発明の特定の例または複数の例の外側密閉部材に拡大レンズまたは歪みレンズを組み込み、外側密閉部材の上方表面に設けられたリセス内の印刷物または物体を拡大したり、またはひずませるようにすることができる。本発明のこのような例で示されるレンズは、一般的なレンズまたはフレンネルレンズとすることができる。本発明の密閉体の外側部材の上部表面内のリセスは、リセスの壁から突出する複数の耳部を有する、浅く、底部の平らなリセスとすることができ、この耳部は内部に取り付けるべき工芸作品または他の物体をリセス内に下方に押し込むと、自動的にタブの下にトラップされた状態となるように構成することができる。
【００３０】
以上で、商品容器、特にドリンクカップと共に使用するための密閉体の種々の実施例について説明した。しかしながら、本明細書に説明した例は単に本発明の特徴を説明するためのものであり、特許請求の範囲を逸脱しない限り、幾多の修正及び変更が可能である。
【図面の簡単な説明】
【００３１】
【図１】密閉体の対称軸線を含む平面に沿った、本発明に類似する、第１の参考例の商品容器密閉体の横断面図である。
【図２】密閉体の対称軸線を含む平面に沿った、図１の商品容器密閉体の分解横断面図である。
【図３】本発明に類似する、第２の参考例の商品容器密閉体の斜視図である。
【図４】ドリンクカップに取り付けられた状態に示された、図３の商品容器密閉体の斜視図である。
【図５】密閉体の対称軸線を含む平面に沿った、本発明に類似する、第３の参考例の商品容器密閉体の横断面図である。
【図６】密閉体の対称軸線を含む平面に沿った、図５の商品容器密閉体の分解横断面図である。
【図７】本発明に類似する、第４の参考例の商品容器密閉体の頂部部分の正面図である。
【図８】図７の頂部部分の平面図である。
【図９】図７の頂部部分の側面図である。
【図１０】図７の頂部部分の９０度回転した平面図である。
【図１１】本発明に類似する、第４の参考例の商品容器密閉体の底部部分の正面図である。
【図１２】図１１の底部部分の平面図である。
【図１３】図１１の頂部部分の側面図である。
【図１４】図１１の底部部分の９０度回転した平面図である。
【図１５】本発明によるドリンク容器のための密閉体の実施例の分解正面図である。
【図１６】図１５の容器の平面図である。
【図１７】図１５の密閉体の分解側面図である。
【図１８】図１５の密閉体の９０度回転した平面図である。
【符号の説明】
【００３２】
８    カップ
９    飲料水
１０    密閉体
１２    内側部材
１２.１    ディスク状中心部分
１２.２    側壁
１４    外側部材
１４.１    ディスク状中心部分
１４.２    側壁
１４.３    切頭円錐形フランジ
１６    デジタルメディアディスク
２０    周辺壁
２２    突起
２３    凹部
２４    盛り上がった部分
３０    プルタブ
３８    中心開口部
３９    中心開口部
４０    内側エッジ
５０    リブ
【手続補正３】
【補正対象書類名】図面
【補正対象項目名】図１９
【補正方法】削除
【補正の内容】
【手続補正４】
【補正対象書類名】図面
【補正対象項目名】図２０
【補正方法】削除
【補正の内容】
【手続補正５】
【補正対象書類名】図面
【補正対象項目名】図２１
【補正方法】削除
【補正の内容】
【手続補正６】
【補正対象書類名】図面
【補正対象項目名】図２２
【補正方法】削除
【補正の内容】